(57)【要約】      （修正有）【課題】キャップ開閉時に手が滑らない若しくは外観に特徴のある形状にでき、また、液が垂れても手に付きにくくしたノズルキャップと計量キャップとの構造の液体注出容器を提供する。【解決手段】ノズルキャップ１２と計量キャップ１４の嵌合部１６が容器本体１０の内側に位置する計量容器であって、嵌合部１６が計量キャップ１４の内筒部１８をノズルキャップ１２の開口１２ａ内に装入して、前記外面の雄ネジ山を前記雌ネジ山に螺合することによって嵌合するものであって、計量キャップ１４の内筒部１８をノズルキャップ１２の開口１２ａ内に装入した際に、前記外筒（若しくは外壁）２０の内面がノズルキャップ１２の外壁と離隔し、かつ、前記外筒部（若しくは外壁）２０の外面を使用者が把持して計量キャップ１４をノズルキャップ１２に対して回転可能に形成した。【選択図】図１
2014114048.tif 000002
【特許請求の範囲】
【請求項１】
先方に開口が形成され、その開口内部から先方に向けてノズルが突出形成されたノズルキャップを容器本体の口部に嵌合し、そのノズルキャップに計量キャップを嵌合し、ノズルキャップと計量キャップの嵌合部が容器本体の内側に位置する計量容器において、
計量キャップの内筒部の周囲に間隔を置いて外筒部若しくは外壁を設け、
前記嵌合部は、計量キャップの内筒部の外面に雄ネジ山を形成し、ノズルキャップの開口内面に雌ネジ山を形成したものであり、計量キャップの内筒部をノズルキャップの開口内に装入して、前記外面の雄ネジ山を前記雌ネジ山に螺合することによって嵌合するものであって、
計量キャップの内筒部をノズルキャップの開口内に装入した際に、前記外筒部若しくは外壁の内面がノズルキャップの外壁と離隔し、かつ、前記外筒部若しくは外壁の外面を使用者が把持して計量キャップをノズルキャップに対して回転可能な構造にしたことを特徴とする液体注出容器。
【請求項２】
計量キャップの内筒の外面における雄ネジ山の形成部が、軸方向に沿って外筒部若しくは外壁の位置よりも計量キャップの開口側に配置されていることを特徴とする請求項１に記載の液体注出容器。
【発明の詳細な説明】
【技術分野】
【０００１】
本発明は液体洗剤や柔軟剤等の液体製品を容器に収容し、容器内の液体を計量して使用に供することができる液体注出容器に関する。
【背景技術】
【０００２】
液体洗剤や柔軟剤等の液体を注出する容器には、これら液体を収納するボトル本体に、傾注し易く液だれしにくいノズルキャップと、洗剤を計り取る計量キャップとを着けたものが一般的に用いられている。
【０００３】
そのような構造のものとしては、次のものが提案されている。
【０００４】
（１）  ノズルキャップ内側に設けたネジ部と計量キャップの内筒に設けたネジ部とによりねじ込み、外筒をノズルキャップの先端に外側から被せて嵌着する仕様の液体注出容器が提案されている（特開２００２−２３４５５６号公報（特許文献１）参照）。この仕様の液体注出容器では、ノズルキャップの内側で計量キャップと螺合させ、ボトルとノズルキャップの液密閉性が低下しないように外筒をノズルキャップに嵌着している。
【０００５】
しかし、このような仕様には、計量キャップの内筒を伝って垂れた洗剤が外筒に回って使用者の手について汚れ、また、計量キャップが円筒形状であるため手が滑って開閉しにくいという問題があった。
【０００６】
（２）  ノズルキャップ外側に設けたネジ部と計量キャップの外筒に設けたネジ部により計量キャップを嵌合させるものが提案されている（特許３８１０５７１号公報（特許文献２）参照）。
【０００７】
この仕様の液体注出容器の例について、ノズルキャップ及び計量キャップを断面視した図８によって説明する。
【０００８】
図８に示すように、ノズルキャップａは注出用のノズルｂを設けて、容器本体の頂部口元に固定して使用するものである。ノズルキャップａは、外壁が軸中央部で段付きになって上部が細径の上側筒部であり、下部が太径の下側筒部である概略筒状体である。軸中央部の内側に形成された底部ａ１からノズルｂが上方に向けて立設する。
【０００９】
前記ノズルキャップａの上側筒部に外ネジ部ｃ１が形成され、また、計量キャップｄの外筒に内ネジ部ｅが形成されている。外ネジ部ｃ１に内ネジ部ｅが着脱自在に螺合して、ノズルキャップａに計量キャップｄが装着されるものである。
【００１０】
なお、計量キャップｄの外筒における上部の内面から下方にインナーリングｆ１とコンタクトリングｆ２とが形成されて、ノズルキャップａの上側筒部の先端に対して、内面側にインナーリングｆ１が摺接し、先端面にコンタクトリングｆ２が突き当たってノズルキャップａと計量キャップの液密を保持している。
【００１１】
しかし、この仕様では、計量キャップの外筒内面にネジ部(内ネジ部）が形成されているため外筒の形状は円筒にする必要があり、他の形状とすることができないものであった。したがって、使用者は、外筒の外周面を掴んで回すため、平坦な外筒の外面は手が滑って開けにくく、また、外観で差別化もできない等の問題があった。
【先行技術文献】
【特許文献】
【００１２】
【特許文献１】特開２００２−２３４５５６号公報
【特許文献２】特許３８１０５７１号公報
【発明の開示】
【発明が解決しようとする課題】
【００１３】
本発明は、以上の事情を鑑み、キャップ開閉時に手が滑らない若しくは外観に特徴のある形状にでき、また、液が垂れても手に付きにくくしたノズルキャップと計量キャップとの構造の液体注出容器を提供しようとするものである。
【課題を解決するための手段】
【００１４】
本発明は、先方に開口が形成され、その開口内部から先方に向けてノズルが突出形成されたノズルキャップを容器本体の口部に嵌合し、そのノズルキャップに計量キャップを嵌合し、ノズルキャップと計量キャップの嵌合部が容器本体の内側に位置する計量容器において、
計量キャップの内筒部の周囲に間隔を置いて外筒部若しくは外壁を設け、
前記嵌合部は、計量キャップの内筒部の外面に雄ネジ山を形成し、ノズルキャップの開口内面に雌ネジ山を形成したものであり、計量キャップの内筒部をノズルキャップの開口内に装入して、前記外面の雄ネジ山を前記雌ネジ山に螺合することによって嵌合するものであって、
計量キャップの内筒部をノズルキャップの開口内に装入した際に、前記外筒部若しくは外壁の内面がノズルキャップの外壁と離隔し、かつ、前記外筒部若しくは外壁の外面を使用者が把持して計量キャップをノズルキャップに対して回転可能な構造にしたことを特徴とする液体注出容器である。
【００１５】
本発明において、計量キャップの内筒の外面における雄ネジ山の形成部が、軸方向に沿って見て外筒部若しくは外壁の位置よりも計量キャップの開口側に配置されていることが好適である。
【発明の効果】
【００１６】
本発明の液体注出容器によれば、計量キャップの外筒部若しくは外壁の内面がノズルキャップの外壁を離隔しているので、計量キャップの外筒部や外壁が形状変更可能な構造であり、キャップ開閉時に手が滑らない若しくは外観に特徴のある形状にできる。
【００１７】
また、計量キャップの内筒の外面における雄ネジ山の形成部が、軸方向に沿って見て外筒部若しくは外壁の位置よりも計量キャップの開口側に配置されているものとして、液が垂れても手に付きにくくしたノズルキャップと計量キャップとの構造の液体注出容器を提供できるという優れた効果を奏し得る。
【図面の簡単な説明】
【００１８】
【図１】本発明の第１実施形態に係る液体注出容器のノズルキャップ及び計量キャップの縦断説明図である。
【図２】図１のノズルキャップから計量キャップを外した状態説明図である。
【図３】第１実施形態の変形例に係る計量キャップの説明図であり、（ａ）が雄ネジ山の位置の説明図、（ｂ）計量キャップを傾けた使用状態説明図である。
【図４】本発明の第２実施形態に係る液体注出容器の計量キャップの説明図で、（ａ）が縦断説明図、（ｂ）が計量キャップの上面視と縦断した説明図である。
【図５】本発明の第３実施形態に係る液体注出容器の計量キャップの説明図であり、（ａ）が計量キャップの上面視の説明図、（ｂ）が計量キャップをノズルキャップに嵌合した状態の縦断した説明図である。
【図６】本発明の第４実施形態に係る液体注出容器の計量キャップの説明図であり、（ａ）が計量キャップの側面視の説明図、（ｂ）計量キャップをノズルキャップに嵌合した状態の縦断した説明図である。
【図７】本発明の第５実施形態に係る液体注出容器の計量キャップの説明図であり、（ａ）が計量キャップの側面視の説明図、（ｂ）計量キャップをノズルキャップに嵌合した状態の縦断面の説明図である。
【図８】従来の液体注出容器のノズルキャップ及び計量キャップの縦断した説明図である。
【発明を実施するための形態】
【００１９】
以下、本発明の実施形態について、添付図面を参照して説明する。
【００２０】
図１は、本発明の第１実施形態に係る液体注出容器のノズルキャップ及び計量キャップの縦断説明図、図２は、当該ノズルキャップから計量キャップを外した状態説明図、図３は、第１実施形態に係る計量キャップの変形例の説明図であり、（ａ）が雄ネジ山の位置の説明図、（ｂ）計量キャップを傾けた使用状態説明図である。
【００２１】
第１実施形態に係る液体注出容器は、図１、図２に示すように、容器本体１０（二点鎖線で口部周辺を図視）にノズルキャップ１２をネジ込みで取り付け、ノズルキャップ１２に計量キャップ１４が着脱自在にネジ嵌合している。容器本体１０内には、液体洗剤、柔軟剤、漂白剤等の液体が収容されており、計量キャップ１４で液体を計量して所望量の液体を使用に供することができる構造になっている。各部は樹脂成形によって製造され、容器本体１０はブロー成形によって、また、ノズルキャップ１２と計量キャップ１４は射出成型によって製造される。
【００２２】
前記液体注出容器では、先方に開口１２ａが形成され、その開口内部から先方に向けてノズル１２ｂを突出形成されたノズルキャップ１２を容器本体１０の口部に嵌合し、そのノズルキャップ１２に計量キャップ１４をネジ込んで嵌合し、ノズルキャップ１２と計量キャップ１４の嵌合部１６が容器本体１０の内側に位置する計量容器である。
【００２３】
ノズル１２ｂは注ぎ易いように、ノズル１２ｂ先端を斜めにカットした形状とし、ノズル１２ｂの側壁にスリットを形成し、容器本体１０内の空気置換のためにノズル１２ｂ基部付近の底部に置換孔を形成したり等、種々の構造をとり得る。なお、ノズルキャップ１２には、容器本体１０の口部との気密性を確保するインナーリング１２ｄが下方に向けて突出形成される。
【００２４】
（計量キャップ１４）
計量キャップ１４は、図１で上側の底部が閉塞し下側が開口するカップ状の内筒部１８と、その内筒部１８の周囲に間隔を置いて外筒部（外壁としてもよい）２０を設けたものである。
【００２５】
内筒部１８は容器本体１０内の内面に計量用の目盛りが形成されている。また、外筒部２０は、図１、図２に示すように、内筒部１８の軸方向（符号Ｌで示す）の中央部の外周付近から外径方向に棚状部分２０ａにやや広がって椀状になり、その外端部から内筒部１８の開口部に向かって延びた筒状体である。軸方向に見て、外筒部２０の開口側の先端は、内筒部１８の開口側の先端よりも引っ込んでいる。
【００２６】
この外筒部２０において、棚状部分２０ａには、ノズルキャップ１２の先端が入り込む側に、図１、図２に示すように、下側方向にインナーリング２０ｂとコンタクトリング２０ｃとが環状に突出形成されている。ノズルキャップ１２に計量キャップ１４を嵌合した際に、インナーリング２０ｂは、円環状を呈してノズルキャップ１２の先端部の内周に接して気密性を維持し、かつ、コンタクトリング２０ｃがノズルキャップ１２の先端面に突き当たってそれ以上の食い込むことを規制しかつ気密性を維持している。したがって、ノズルキャップ１２及び計量キャップ１４同士の嵌合の気密性及び適切な嵌合力が掛かるようにしている。
【００２７】
前記嵌合部１６は、計量キャップ１４の内筒部１８の開口側の外面に雄ネジ山１６ａを形成したものと、ノズルキャップ１２の開口内面に雌ネジ山１６ｂを形成したものとでなっている。計量キャップ１４の内筒部１８をノズルキャップ１２の開口内に装入して、前記外面の雄ネジ山１６ａを前記雌ネジ山１６ｂに螺合することによってネジ結合によって互いに嵌合する構造のものである。
【００２８】
計量キャップ１４の内筒部１８をノズルキャップ１２の開口内に装入した際に、前記外筒部２０の内面がノズルキャップ１２の外壁と離隔し、かつ、前記外筒部２０の外面を使用者が把持して計量キャップ１４をノズルキャップ１２に対して回転可能にしたものである。
【００２９】
第１実施形態の液体注出容器によれば、計量キャップ１４の外筒部２０の内面にノズルキャップ１２の外壁と離隔でき、当該内面にネジ部を形成する必要がない。
【００３０】
したがって、外筒部２０を円筒形状に形成する必要がないことから、その外筒部２０を自由な形状に設計可能な構造である。
【００３１】
よって、外筒部２０がキャップ開閉時に手が滑りにくいものに設計でき、使い易いものにできる。また、計量キャップ１４の外観に趣向を凝らした特徴のある形状に構成できることから、液体を収容した液体注出容器製品を販売のため店頭陳列した際に、購入希望者にアピール可能な外観構造を容易に設定できる。
【００３２】
ここで、第１実施形態の液体注出容器を図８に示した従来の液体注出容器と比較する。図８に示した従来の液体注出容器の計量キャップｄにおける外筒部の内ネジ部ｅを、ノズルキャップａの上側筒部の外ネジ部ｃ１に螺合して締め付けて、計量キャップｄをノズルキャップａに嵌合する際に、ノズルキャップａの上側筒部には、前記計量キャップｄの外筒部で押さえられることから、図中の矢印Ｋ方向で示す内向きの力が働き、その反力として前記計量キャップｄの外筒部には外向きの力が働く。
【００３３】
これに対して、第１の実施形態の液体注出容器においては、計量キャップ１４の内筒部１８の雄ネジ山１６ａを、ノズルキャップ１２の上側筒部内側の雌ネジ山１６ｂに螺合して締め付けて計量キャップ１４及びノズルキャップ１２の嵌合部１６を嵌合する。この際に、ノズルキャップ１２の上側筒部には、内側から拡張する力が加わるが、計量キャップ１４の外筒部２０には力が働かない。したがって、この外筒部２０はネジ部の形成が必要ないので指の力を加え易い形状や外観的に人目を引くデザインにすることができる。
【００３４】
また、計量キャップ１４は、傾けて液を注ぐ場合に、内筒部１８内の液が内筒部外側を回り込んでも外筒部２０内に垂れるのが防がれるため手指に付きにくい。
【００３５】
図３は第１実施形態の変形例の説明図である。
図３に示す変形例は、更に液が垂れても手に付きにくくした計量キャップの例である。
【００３６】
この変形例に係る計量キャップ１４では、図３（ａ）に示すように、計量キャップ１４の内筒の外面における雄ネジ山１６ａの形成部の位置が、軸方向に沿って見て外筒部２０の先端の位置（符号Ｓで示す）よりも計量キャップ１４の開口側（図３で下側位置）に配置されている。
【００３７】
この構造のため、図３（ｂ）に示すように、計量キャップ１４を傾けて液を注ぐ際に、液(符号Ｆで示す）が内筒部１８の外面に回り込んでも、雄ネジ山１６ａに堰き止められて確実に遮られ、該雄ネジ山１６ａを伝わって液が下方に垂れ落ちるため、液切れが良く、外筒部２０から後方に液が伝わらない。
【００３８】
したがって、液が外筒部２０から後方に液が付くことが確実になくなるため、計量キャップ１４を手指で扱って使用する際に液が垂れても手に付きにくくしたノズルキャップ１２と計量キャップ１４との構造の液体注出容器を提供できる。
【００３９】
なお、本発明は、上記第１実施形態及び変形例に限定されず、以下に説明する、本発明の他の実施形態とすることができる。
以下の各実施形態の説明では、上記の第１実施形態と異なる部分を主に説明するが、同様部分に同一の符号を付して、その説明を略している。
【００４０】
図４は、本発明の第２実施形態に係る液体注出容器の計量キャップの説明図で、（ａ）が縦断説明図、（ｂ）が計量キャップの上面視と縦断した説明図である。
【００４１】
この第２実施形態の計量キャップにおいては、外筒部２０が異形に形成されたものである。図４（ｂ）に示すように、凹凸が花弁を周状に並べた形状を呈している。外筒部２０に凹凸の山谷が深く明確なのでキャップ開閉時に手が滑らないと共に、外観がきわめて特徴的な形状になっており、外観品質が向上し、販売促進効果が高い。
【００４２】
図５は、本発明の第３実施形態に係る液体注出容器の計量キャップの説明図であり、（ａ）が計量キャップの上面視の説明図、（ｂ）が計量キャップをノズルキャップに嵌合した状態の縦断した説明図である。
【００４３】
この第３実施形態の計量キャップにおいては、図５に示すように、外筒部２０が異形に形成されたものである。図５（ａ）に示すように、凹凸形状が平坦壁を複数周方向に並べて軸方向視で６角形形状を呈している。外筒部２０に平坦壁同士の稜線が角張ったものとなるため、キャップ開閉時に手が滑らないと共に、外観がきわめて特徴的な形状になっており、外観品質が向上し、販売促進効果が高い。
【００４４】
図６は、本発明の第４実施形態に係る液体注出容器の計量キャップの説明図であり、（ａ）が計量キャップの側面視の説明図、（ｂ）計量キャップをノズルキャップに嵌合した状態の縦断した説明図である。
【００４５】
この第４実施形態の計量キャップ１４においては、図６に示すように、外筒部２０が一部切り欠いた異形の壁状を呈して形成されたものである。図６（ｂ）に示すように、内筒部１８は棚状部分２０ａを取り巻く周壁に切り欠き部分２０ｂを有した概略円筒状で、かつ開口方向端（図６で下方向き端）に矩形の凹凸形状の複数の切り欠き２０ｃを形成した概略鋸刃形状になっているものである。
【００４６】
第４実施形態の計量キャップ１４においても、外筒部２０に周壁の切り欠き部分２０ｂと開口方向端の複数の切り欠き２０ｃが手指の掛かる形状のため、第３実施形態よりも更に、キャップ開閉時に手が滑らないと共に、外観がきわめて特徴的な形状になっており、外観品質が向上し、販売促進効果が高い。
【００４７】
図７は、本発明の第５実施形態に係る液体注出容器の計量キャップの説明図であり、（ａ）が計量キャップの側面視の説明図、（ｂ）計量キャップをノズルキャップに嵌合した状態の縦断面の説明図である。
【００４８】
この第５実施形態の計量キャップ１４においては、図７に示すように、外筒部２０が上方に延びた壁状を呈して形成されたものである。図７（ｂ）に示すように、内筒部１８は棚状部分２０ａを取り巻く周壁が、その棚状部分２０ａから開口側(下側）の長さよりも上方の長さが長く形成されたものである。外筒部２０の外面には、滑り止めのエンボス等が形成されている。
【００４９】
第５実施形態の計量キャップ１４においては、外筒部２０に周壁が軸方向に長く形成されているので、手指の掛かる面積の広い形状であり、第１実施形態〜第４実施形態よりも更に、掌全体を計量キャップ１４に掛けて操作でき力の弱い使用者でも扱い易いと共に、計量キャップをその開口を上に向けて置く際に安定感がある。外見的にも一体感のある特徴的な形状であり、外観品質の向上と販売促進効果を望める。
【００５０】
上記各実施形態は本発明の好適例であり、本発明の範囲内で変形実施可能である。外筒部は主に筒状であるが、上記棚状部分２０ａを柱状にする等して外壁を形成することもできる。
【産業上の利用可能性】
【００５１】
本発明の液体注出容器は、容器本体内には、液体洗剤、柔軟剤、漂白剤等の液体の他、各種液体を収容し、計量キャップで液体を計量して所望量の液体を使用に供する製品として利用可能である。
【符号の説明】
【００５２】
１２  ノズルキャップ
１４  計量キャップ
１６  嵌合部
１６ａ  雄ネジ山
１６ｂ  雌ネジ山
１８  内筒部
２０  外筒部
２０ａ  棚状部分
【図１】
2014114048.tif 000003
【図２】
2014114048.tif 000004
【図３】
2014114048.tif 000005
【図４】
2014114048.tif 000006
【図５】
2014114048.tif 000007
【図６】
2014114048.tif 000008
【図７】
2014114048.tif 000009
【図８】
2014114048.tif 000010